(57)【特許請求の範囲】
【請求項１】
駐車場の車両入口に設置された入場ビーコンと、前記駐車場の車両出口に設置された出場ビーコンと、携帯端末と、サーバ装置と、前記駐車場内に入場する車両の車両番号を読み取る入場用車番読取カメラと、前記駐車場外に出場する車両の車両番号を読み取る出場用車番読取カメラを含む駐車場電子決済システムであって、
前記入場用車番読取カメラは、読み取った車両番号を前記サーバ装置に送信し、
前記出場用車番読取カメラは、読み取った車両番号を前記サーバ装置に送信し、
前記携帯端末は、
前記入場ビーコン、または前記出場ビーコンからビーコンを識別するためのビーコン識別番号を受信するビーコン信号受信部と、
前記ビーコン識別番号を、自端末を識別するための携帯端末識別番号とともに前記サーバ装置に送信するビーコンＩＤ送信部と、
仮想請求書を受信した場合に当該仮想請求書に基づいて電子決済を実行する電子マネー決済部とを含み、 
前記サーバ装置は、
前記入場用車番読取カメラから前記車両番号を受信した場合、当該車両番号の受信時刻から所定時間前まで、あるいは所定時間後までに前記入場ビーコンのビーコン識別番号と、前記携帯端末識別番号とを受信した場合に、前記受信した携帯端末識別番号と、時刻情報と、前記車両番号とを含む仮想駐車券を発行し、前記出場用車番読取カメラから前記車両番号を受信した場合に、前記受信した車両番号に対応する仮想駐車券に基づいて、前記仮想請求書を発行して対応する携帯端末に送信する仮想駐車券発行部を含む
駐車場電子決済システム。
【請求項２】
駐車場の車両入口に設置された入場ビーコンと、前記駐車場の車両出口に設置された出場ビーコンと、店舗に設置された店舗用ビーコンと、携帯端末と、サーバ装置を含む駐車場電子決済システムであって、
前記携帯端末は、
前記入場ビーコン、または前記出場ビーコンからビーコンを識別するためのビーコン識別番号を受信し、利用者の支払い代金が予め定めた最小単位のＮ回分（Ｎは１以上の整数）に該当する場合に、前記店舗用ビーコンからＮ回、前記ビーコン識別番号を受信するビーコン信号受信部と、
前記ビーコン識別番号を、自端末を識別するための携帯端末識別番号とともに前記サーバ装置に送信するビーコンＩＤ送信部と、
仮想請求書を受信した場合に当該仮想請求書に基づいて電子決済を実行する電子マネー決済部とを含み、
前記サーバ装置は、
受信したビーコン識別番号が前記入場ビーコンのビーコン識別番号である場合に、当該入場ビーコンのビーコン識別番号とともに受信した携帯端末識別番号と、時刻情報とを含む仮想駐車券を発行し、前記受信したビーコン識別番号が前記出場ビーコンのビーコン識別番号である場合に、ともに受信した携帯端末識別番号に対応する仮想駐車券に基づいて、前記仮想請求書を発行して対応する携帯端末に送信する仮想駐車券発行部と、
受信したビーコン識別番号が前記店舗用ビーコンのビーコン識別番号である場合に、ともに受信した携帯端末識別番号に対応する仮想駐車券に、受信回数に応じた割引情報を追加する割引情報管理部を含む
駐車場電子決済システム。
【請求項３】
駐車場の車両入口に設置された入場ビーコンと、前記駐車場の車両出口に設置された出場ビーコンと、携帯端末と、サーバ装置と、事前精算機とを含む駐車場電子決済システムであって、
前記携帯端末は、
前記入場ビーコン、または前記出場ビーコンからビーコンを識別するためのビーコン識別番号を受信するビーコン信号受信部と、
前記ビーコン識別番号を、自端末を識別するための携帯端末識別番号とともに前記サーバ装置に送信するビーコンＩＤ送信部と、
仮想請求書を受信した場合に当該仮想請求書に基づいて電子決済を実行する電子マネー決済部とを含み、
前記サーバ装置は、
受信したビーコン識別番号が前記入場ビーコンのビーコン識別番号である場合に、当該入場ビーコンのビーコン識別番号とともに受信した携帯端末識別番号と、時刻情報とを含む仮想駐車券を発行して対応する携帯端末に送信し、前記事前精算機から、携帯端末識別番号とともに請求書要求を受信した場合に、前記受信した携帯端末識別番号に対応する仮想駐車券に基づいて、前記仮想請求書を発行して前記事前精算機に送信する仮想駐車券発行部を含み、
前記事前精算機は、前記携帯端末から前記仮想駐車券を受信した場合に前記サーバ装置に前記仮想駐車券に含まれる携帯端末識別番号とともに前記請求書要求を送信し、前記サーバ装置から前記仮想請求書を受信した場合に、対応する携帯端末に前記仮想請求書を送信する
駐車場電子決済システム。
【請求項４】
請求項１または３に記載の駐車場電子決済システムであって、
店舗に設置された店舗用ビーコンをさらに含み、
前記携帯端末のビーコン信号受信部は、前記入場ビーコン、前記出場ビーコンに加え、前記店舗用ビーコンから前記ビーコン識別番号を受信し、
前記サーバ装置は、
受信したビーコン識別番号が前記店舗用ビーコンのビーコン識別番号である場合に、ともに受信した携帯端末識別番号に対応する仮想駐車券に所定の割引情報を追加する割引情報管理部をさらに含む
駐車場電子決済システム。
【請求項５】
請求項１から４の何れかに記載の駐車場電子決済システムであって、
前記入場ビーコンおよび前記出場ビーコンをそれぞれ２個以上含み、
前記２個以上の入場ビーコンおよび出場ビーコンは、車両の進行方向に沿って配置され、
前記携帯端末は、
前記入場ビーコン、あるいは前記出場ビーコンのビーコン識別番号を所定の順序で受信した場合に、前記車両が前記駐車場内に入場、あるいは前記駐車場外に出場したと判定する場内判定部をさらに含む
駐車場電子決済システム。
【請求項６】
駐車場の車両入口に設置された入場ビーコンと、前記駐車場の車両出口に設置された出場ビーコンと、携帯端末と、サーバ装置と、前記駐車場内に入場する車両の車両番号を読み取る入場用車番読取カメラと、前記駐車場外に出場する車両の車両番号を読み取る出場用車番読取カメラが実行する駐車場電子決済方法であって、
前記入場用車番読取カメラは、読み取った車両番号を前記サーバ装置に送信し、
前記携帯端末は、
前記入場ビーコンからビーコンを識別するためのビーコン識別番号を受信するステップと、
前記入場ビーコンからのビーコン識別番号を、自端末を識別するための携帯端末識別番号とともに前記サーバ装置に送信するステップを実行し、
前記サーバ装置は、
前記入場用車番読取カメラから前記車両番号を受信した場合、当該車両番号の受信時刻から所定時間前まで、あるいは所定時間後までに前記入場ビーコンのビーコン識別番号と、前記携帯端末識別番号とを受信した場合に、前記受信した携帯端末識別番号と、時刻情報と、前記車両番号とを含む仮想駐車券を発行するステップを実行し、
前記出場用車番読取カメラは、読み取った車両番号を前記サーバ装置に送信し、
前記サーバ装置は、
前記出場用車番読取カメラから前記車両番号を受信した場合に、前記受信した車両番号に対応する仮想駐車券に基づいて、仮想請求書を発行して対応する携帯端末に送信するステップを実行し、
前記携帯端末は、
前記仮想請求書を受信した場合に当該仮想請求書に基づいて電子決済を実行するステップを実行する
駐車場電子決済方法。
【請求項７】
駐車場の車両入口に設置された入場ビーコンと、前記駐車場の車両出口に設置された出場ビーコンと、店舗に設置された店舗用ビーコンと、携帯端末と、サーバ装置が実行する駐車場電子決済方法であって、
前記携帯端末は、
前記入場ビーコンからビーコンを識別するためのビーコン識別番号を受信するステップと、
前記入場ビーコンからのビーコン識別番号を、自端末を識別するための携帯端末識別番号とともに前記サーバ装置に送信するステップを実行し、
前記サーバ装置は、
受信したビーコン識別番号が前記入場ビーコンのビーコン識別番号である場合に、当該入場ビーコンのビーコン識別番号とともに受信した携帯端末識別番号と、時刻情報とを含む仮想駐車券を発行するステップを実行し、
前記携帯端末は、
利用者の支払い代金が予め定めた最小単位のＮ回分（Ｎは１以上の整数）に該当する場合に、前記店舗用ビーコンからＮ回、前記ビーコン識別番号を受信するステップと、
前記店舗用ビーコンからのＮ回のビーコン識別番号を、前記携帯端末識別番号とともに前記サーバ装置に送信するステップを実行し、
前記サーバ装置は、
受信したビーコン識別番号が前記店舗用ビーコンのビーコン識別番号である場合に、ともに受信した携帯端末識別番号に対応する仮想駐車券に、受信回数に応じた割引情報を追加するステップを実行し、
前記携帯端末は、
前記出場ビーコンから前記ビーコン識別番号を受信するステップと、
前記出場ビーコンからのビーコン識別番号を、前記携帯端末識別番号とともに前記サーバ装置に送信するステップを実行し、
前記サーバ装置は、
前記受信したビーコン識別番号が前記出場ビーコンのビーコン識別番号である場合に、ともに受信した携帯端末識別番号に対応する仮想駐車券に基づいて、仮想請求書を発行して対応する携帯端末に送信するステップを実行し、
前記携帯端末は、
前記仮想請求書を受信した場合に当該仮想請求書に基づいて電子決済を実行するステップを実行する
駐車場電子決済方法。
【請求項８】
駐車場の車両入口に設置された入場ビーコンと、前記駐車場の車両出口に設置された出場ビーコンと、携帯端末と、サーバ装置と、事前精算機とが実行する駐車場電子決済方法であって、
前記携帯端末は、
前記入場ビーコンからビーコンを識別するためのビーコン識別番号を受信するステップと、
前記入場ビーコンからのビーコン識別番号を、自端末を識別するための携帯端末識別番号とともに前記サーバ装置に送信するステップを実行し、
前記サーバ装置は、
受信したビーコン識別番号が前記入場ビーコンのビーコン識別番号である場合に、当該入場ビーコンのビーコン識別番号とともに受信した携帯端末識別番号と、時刻情報とを含む仮想駐車券を発行して対応する携帯端末に送信するステップを実行し、
前記事前精算機は、前記携帯端末から前記仮想駐車券を受信した場合に前記サーバ装置に前記仮想駐車券に含まれる携帯端末識別番号とともに請求書要求を送信するステップを実行し、
前記サーバ装置は、
前記事前精算機から、前記携帯端末識別番号とともに前記請求書要求を受信した場合に、前記受信した携帯端末識別番号に対応する仮想駐車券に基づいて、前記仮想請求書を発行して前記事前精算機に送信するステップを実行し、
前記事前精算機は、
前記サーバ装置から前記仮想請求書を受信した場合に、対応する携帯端末に前記仮想請求書を送信するステップを実行し、
前記携帯端末は、
前記仮想請求書を受信した場合に当該仮想請求書に基づいて電子決済を実行するステップを実行する
駐車場電子決済方法。
【請求項９】
請求項６または８に記載の駐車場電子決済方法であって、
前記携帯端末は、前記入場ビーコン、前記出場ビーコンに加え、店舗に設置された店舗用ビーコンから前記ビーコン識別番号を受信するステップと、
前記店舗用ビーコンからのビーコン識別番号を、前記携帯端末識別番号とともに前記サーバ装置に送信するステップを実行し、
前記サーバ装置は、
受信したビーコン識別番号が前記店舗用ビーコンのビーコン識別番号である場合に、ともに受信した携帯端末識別番号に対応する仮想駐車券に所定の割引情報を追加するステップをさらに実行する
駐車場電子決済方法。
【請求項１０】
請求項６から９の何れかに記載の駐車場電子決済方法であって、
前記入場ビーコンおよび前記出場ビーコンをそれぞれ２個以上含み、
前記２個以上の入場ビーコンおよび出場ビーコンは、車両の進行方向に沿って配置され、
前記携帯端末は、
前記入場ビーコンのビーコン識別番号を所定の順序で受信した場合に、前記車両が前記駐車場内に入場したと判定するステップと、
前記出場ビーコンのビーコン識別番号を所定の順序で受信した場合に、前記車両が前記駐車場外に出場したと判定するステップをさらに実行する
駐車場電子決済方法。
【請求項１１】
コンピュータを請求項１から５の何れかに記載の駐車場電子決済システムにおける携帯端末として機能させるためのプログラム。
【請求項１２】
コンピュータを請求項１から５の何れかに記載の駐車場電子決済システムにおけるサーバ装置として機能させるためのプログラム。
【発明の詳細な説明】
【技術分野】
【０００１】
本発明は、駐車券をペーパーレスにし、駐車場利用料金の支払いを電子決済により行う駐車場電子決済システム、駐車場電子決済方法、プログラムに関する。
【背景技術】
【０００２】
駐車場施設において、駐車券をペーパーレスにすること、駐車場利用料金を電子決済にすることにより利用者の利便性を向上させることが試みられている。例えば特許文献１には、ＥＴＣ機能を有する車載器に挿入されたＥＴＣカードを用いた料金支払を実現できる料金決済処理システムが開示されている。
【０００３】
特許文献１の料金決済処理システムは、ＥＴＣ機能を有する車載器１０から駐車場に設置された出口側路側機に暗号化されたＥＴＣカードのカード情報が送信され、出口側路側機は車載器から受信する暗号化された情報をそのまま通信コントロール端末に送信し、通信コントロール端末は、路側機から受信する暗号化された情報を復号すると共に、復号された情報に含まれる前記カード情報を決済処理サーバに送信し、決済処理サーバはカード情報の与信を行う与信処理部にて決済判断を行う。
【先行技術文献】
【特許文献】
【０００４】
【特許文献１】特開２０１４−１３４９３６号公報
【発明の概要】
【発明が解決しようとする課題】
【０００５】
特許文献１のシステムを実現するためには、ＥＴＣ情報を取り扱う出口側路側機、通信コントロール端末などを導入する必要がありシステム管理者にとってコスト面の負担が大きい。また、ＥＴＣを導入していない利用者は特許文献１のシステムの恩恵を受けることができない。そこで本発明では、安価かつ簡易に駐車券をペーパーレスにすることができ、駐車場利用料金を電子決済により行うことができる駐車場電子決済システムを提供することを目的とする。
【課題を解決するための手段】
【０００６】
本発明の駐車場電子決済システムは、駐車場の車両入口に設置された入場ビーコンと、駐車場の車両出口に設置された出場ビーコンと、携帯端末と、サーバ装置と、駐車場内に入場する車両の車両番号を読み取る入場用車番読取カメラと、駐車場外に出場する車両の車両番号を読み取る出場用車番読取カメラを含む。
【０００７】
入場用車番読取カメラは、読み取った車両番号をサーバ装置に送信する。出場用車番読取カメラは、読み取った車両番号をサーバ装置に送信する。
【０００８】
携帯端末は、ビーコン信号受信部と、ビーコンＩＤ送信部と、電子マネー決済部を含む。ビーコン信号受信部は、入場ビーコン、または出場ビーコンからビーコンを識別するためのビーコン識別番号を受信する。ビーコンＩＤ送信部は、ビーコン識別番号を、自端末を識別するための携帯端末識別番号とともにサーバ装置に送信する。電子マネー決済部は、仮想請求書を受信した場合に当該仮想請求書に基づいて電子決済を実行する。
【０００９】
サーバ装置は、仮想駐車券発行部を含む。仮想駐車券発行部は、入場用車番読取カメラから車両番号を受信した場合、当該車両番号の受信時刻から所定時間前まで、あるいは所定時間後までに入場ビーコンのビーコン識別番号と、携帯端末識別番号とを受信した場合に、受信した携帯端末識別番号と、時刻情報と、車両番号とを含む仮想駐車券を発行し、出場用車番読取カメラから車両番号を受信した場合に、受信した車両番号に対応する仮想駐車券に基づいて、仮想請求書を発行して対応する携帯端末に送信する。
【発明の効果】
【００１０】
本発明の駐車場電子決済システムによれば、安価かつ簡易に駐車券をペーパーレスにすることができ、駐車場利用料金の支払いを電子決済により行うことができる。
【図面の簡単な説明】
【００１１】
【図１】実施例１の駐車場電子決済システムの概略を示す図。
【図２】実施例１の駐車場電子決済システムの構成を示すブロック図。
【図３】実施例１の駐車場電子決済システムの動作を示すシーケンス図。
【図４】駐車券情報記憶部に記憶される仮想駐車券の例を示す図。
【図５】実施例２の駐車場電子決済システムの概略を示す図。
【図６】実施例２の駐車場電子決済システムの構成を示すブロック図。
【図７】実施例２の駐車場電子決済システムの動作を示すシーケンス図。
【図８】実施例２の駐車場電子決済システムの動作を示すシーケンス図。
【発明を実施するための形態】
【００１２】
以下、本発明の実施の形態について、詳細に説明する。なお、同じ機能を有する構成部には同じ番号を付し、重複説明を省略する。
【実施例１】
【００１３】
以下、図１を参照して実施例１の駐車場電子決済システムの概要を説明する。図１は、本実施例の駐車場電子決済システム１の概略を示す図である。図１に示すように、本実施例の駐車場電子決済システム１は、駐車場の車両入口に設置された２台の入場ビーコン１０Ｐ−１、１０Ｐ−２と、駐車場の車両出口に設置された２台の出場ビーコン１０Ｐ−３、１０Ｐ−４と、駐車場と提携している店舗（提携店舗）に設置された店舗用ビーコン１０Ｓと、サーバ装置２０と、携帯端末３０と、駐車場内に入場する車両の車両番号を読み取る入場用車番読取カメラ４０−１と、駐車場外に出場する車両の車両番号を読み取る出場用車番読取カメラ４０−２を含む構成である。ビーコンは、電波を発信する種類のものであってもよいし、近赤外線を検知する光ビーコンであってもよい。駐車場は、屋外駐車場、屋内駐車場のどちらでもよいが、屋外駐車場である場合には、入場ビーコン１０Ｐ−１、１０Ｐ−２、出場ビーコン１０Ｐ−３、１０Ｐ−４には防水性、耐候性が必要となる。なお、入場ビーコン１０Ｐ−１、１０Ｐ−２および出場ビーコン１０Ｐ−３、１０Ｐ−４は、車両の進行方向に沿って配置されており、入場ビーコン１０Ｐ−１は手前側（外側）、入場ビーコン１０Ｐ−２は奥側（中側）に配置されている。出場ビーコン１０Ｐ−３は奥側（中側）、出場ビーコン１０Ｐ−４は手前側（外側）に配置されている。本実施例では、入場ビーコン、出場ビーコンを各２台としたが、これに限らず、入場ビーコン、出場ビーコンを１台以上の任意の台数とすることが可能である。
【００１４】
サーバ装置２０は、例えば駐車場１つにつき１つとすることができる。サーバ装置２０は複数の駐車場につき１つの割合で存在していても構わない。例えばサーバ装置２０は近隣の駐車場１０か所を一括管理するように構成されていてもよい。
【００１５】
携帯端末３０は、利用者６０が個々に所有しているものとする。従って利用者６０が自動車８０にて駐車場に入場するとき、および駐車場から出場するとき、携帯端末３０は、自動車８０内にあるものとする。携帯端末３０は自動車８０内にある状態でも、入場ビーコンおよび出場ビーコンからの信号を受信することができるものとする。例えば、入場ビーコン、出場ビーコン、店舗用ビーコンが電波を送信する種類のビーコンであった場合、携帯端末３０には、これらのビーコンの周波数帯の信号を受信するためのアンテナ、受信回路、これらのビーコンからの信号を解析するソフトウェアが必要となる。入場用車番読取カメラ４０−１、出場用車番読取カメラ４０−２は従来の車番読取用カメラと同様の構成でよい。
【００１６】
なお、携帯端末３０、入場用車番読取カメラ４０−１、出場用車番読取カメラ４０−２は、ネットワーク９０を介してサーバ装置２０と通信可能に接続されている。例えばネットワーク９０は、移動体通信網、無線ＬＡＮなどでよい。
【００１７】
以下、図２を参照して本実施例の駐車場電子決済システム１の構成を説明する。図２は、本実施例の駐車場電子決済システム１の構成を示すブロック図である。図２に示すように、本実施例の携帯端末３０は、ビーコン信号受信部３１と、場内判定部３２と、ビーコンＩＤ送信部３３と、仮想駐車券受信部３４と、電子マネー決済部３５を含む構成である。また本実施例のサーバ装置２０は、仮想駐車券発行部２１と、割引情報管理部２２と、駐車券情報記憶部２３を含む構成である。
【００１８】
以下、図３を参照して本実施例の駐車場電子決済システム１の動作を説明する。図３は、本実施例の駐車場電子決済システム１の動作を示すシーケンス図である。ここでは利用者６０の自動車８０が駐車場の車両入口から駐車場内に入場しようとしているものとする。自動車８０内には利用者６０の携帯端末３０が存在するものとする。自動車８０が駐車場の車両入口近傍に近づいたとき、入場用車番読取カメラ４０−１は自動車８０の車両番号を読み取る。入場用車番読取カメラ４０−１は、読み取った車両番号をサーバ装置２０に送信する（Ｓ４０−１Ａ）。サーバ装置２０の仮想駐車券発行部２１は、入場用車番読取カメラ４０−１から車両番号を受信する（Ｓ２１Ａ）。
【００１９】
自動車８０が駐車場内に入場する直前において、携帯端末３０は車両入口に設置された入場ビーコンのうち、手前側に設置された入場ビーコン１０Ｐ−１に近接する。この場合、携帯端末３０は入場ビーコン１０Ｐ−１からの信号を受信できるものとする。自動車８０が駐車場内に入場した直後には、携帯端末３０は車両入口に設置された入場ビーコンのうち、奥側に設置された入場ビーコン１０Ｐ−２に近接する。この場合、携帯端末３０は入場ビーコン１０Ｐ−２からの信号を受信できるものとする。入場ビーコン１０Ｐ−１、１０Ｐ−２からの信号にはビーコンを識別するためのビーコン識別番号が含まれているものとする。
【００２０】
従って携帯端末３０のビーコン信号受信部３１は、入場ビーコン１０Ｐ−１からビーコン識別番号を受信し、その後入場ビーコン１０Ｐ−２からビーコン識別番号を受信する（Ｓ３１Ａ）。場内判定部３２は、入場ビーコン１０Ｐ−１、１０Ｐ−２のビーコン識別番号を所定の順序で受信した場合に、車両が駐車場内に入場したと判定する（Ｓ３２Ａ）。前述したように、入場ビーコン１０Ｐ−１は駐車場の外側に、入場ビーコン１０Ｐ−２は駐車場の中側に設置されているため、入場ビーコン１０Ｐ−１のビーコン識別番号を受信した後、入場ビーコン１０Ｐ−２のビーコン識別番号を受信した場合には、場内判定部３２は、自動車８０（携帯端末３０）が駐車場の外側から中側に向かう方向に進行しているものと判断する。この場合、場内判定部３２は、車両（自動車８０）が駐車場内に入場したと判定する。反対に、入場ビーコン１０Ｐ−２のビーコン識別番号を受信した後、入場ビーコン１０Ｐ−１のビーコン識別番号を受信した場合には、場内判定部３２は、自動車８０（携帯端末３０）が駐車場の中側から外側に向かう方向に進行しているものと判断する。この場合、場内判定部３２は、車両（自動車８０、携帯端末３０）が駐車場内に入場したものと判定しない。なお場内判定部３２は、２台の入場ビーコンのうちいずれかのビーコン識別番号を受信した場合において、所定時間内にもう１台の入場ビーコンのビーコン識別番号を受信できなかった場合には、車両（自動車８０、携帯端末３０）が駐車場内に入場したものと判定しない。前述したように入場ビーコン、出場ビーコンは１台以上の任意の台数とすることが可能である。入場ビーコン、出場ビーコンを３台以上とした場合でも、場内判定部３２は前述と同様に進行方向の判定を行い、進行方向の判定結果に応じて車両（自動車８０、携帯端末３０）が駐車場内に入場したか否かを判定する。一方、入場ビーコン、出場ビーコンを１台のみとした場合、場内判定部３２は省略され、方向の判定は行われない。この場合、ビーコン信号受信部３１が入場ビーコンからビーコン識別番号を受信した場合には入場扱いとなり、ビーコン信号受信部３１が出場ビーコンからビーコン識別番号を受信した場合には出場扱いとなる。
【００２１】
次に、ビーコンＩＤ送信部３３は、入場ビーコンからのビーコン識別番号を、自端末を識別するための携帯端末識別番号とともにサーバ装置２０に送信する（Ｓ３３Ａ）。本実施例では、場内判定部３２が車両（自動車８０、携帯端末３０）が駐車場内に入場したと判定した場合に限り、ビーコンＩＤ送信部３３が入場ビーコンのビーコン識別番号と、携帯端末識別番号をサーバ装置２０に送信する。無論、入場ビーコンが１台しかない場合には、ビーコンＩＤ送信部３３は無条件に入場ビーコンのビーコン識別番号と、携帯端末識別番号をサーバ装置２０に送信することになる。サーバ装置２０の仮想駐車券発行部２１は、入場ビーコンのビーコン識別番号と、携帯端末識別番号とを受信する（Ｓ２１Ｂ）。なお、携帯端末識別番号としては、個体識別番号、電話番号などが使用できる。
【００２２】
サーバ装置２０の仮想駐車券発行部２１は、入場用車番読取カメラ４０−１から車両番号を受信した場合、当該車両番号の受信時刻から所定時間前まで、あるいは所定時間後までに入場ビーコンのビーコン識別番号と、携帯端末識別番号とを受信した場合に、受信した携帯端末識別番号と、時刻情報と、車両番号とを含む仮想駐車券を発行して、対応する携帯端末３０に送信する（Ｓ２１Ｃ）。携帯端末３０の仮想駐車券受信部３４は、サーバ装置２０から仮想駐車券を受信する（Ｓ３４Ａ）。仮想駐車券発行部２１は、発行した仮想駐車券を駐車券情報記憶部２３に記憶する（Ｓ２１Ｄ）。
【００２３】
ここで図４を参照して仮想駐車券について説明する。図４は、駐車券情報記憶部２３に記憶される仮想駐車券の例を示す図であって、図４Ａは本実施例のステップＳ２１Ｄにおいて記憶される初期状態の仮想駐車券の例、図４Ｂは本実施例のステップＳ２２Ａにおいて追加される割引情報を含む仮想駐車券の例、図４Ｃは実施例２のステップＳ２１Ｄにおいて記憶される初期状態の仮想駐車券の例である。
【００２４】
図４Ａに示すようにステップＳ２１Ｄにおいて記憶される初期状態の仮想駐車券は、時刻情報（例えば仮想駐車券発行時刻）と、入場用車番読取カメラ４０−１から受信した車両番号と、入場ビーコン１０Ｐ−１、１０Ｐ−２のビーコンＩＤ（ビーコン識別番号）と、携帯端末３０の携帯ＩＤ（携帯端末識別番号）と、これらの情報を管理するために付与される駐車券ＩＤ（駐車券識別番号）とを含むこととしてもよい。なお、仮想駐車券に最低限含まれていなければならない情報は、時刻情報と、車両番号と、携帯端末識別番号のみである。従って、入場ビーコンのビーコンＩＤ（ビーコン識別番号）、駐車券ＩＤ（駐車券識別番号）は省略可能である。
【００２５】
前述したように、本実施例の駐車場電子決済システム１は店舗用ビーコン１０Ｓを含む。店舗用ビーコン１０Ｓは駐車場の提携店舗に設置されている。提携店舗において利用者６０が商品を購入した場合、または提携店舗において利用者６０がサービスを受けその対価を支払った場合に、商品の購入代金、あるいはサービスの対価として利用者６０が支払った代金に応じて提携駐車場の利用料金が割り引かれる。例えば、利用者６０が提携店舗において商品を購入した場合、店員は店舗用ビーコン１０Ｓを呈示して利用者６０の携帯端末３０を近接させるように促す。利用者６０は、携帯端末３０を店舗用ビーコン１０Ｓに近接させる。このとき、携帯端末３０のビーコン信号受信部３１は、店舗用ビーコン１０Ｓからビーコン識別番号を受信する（Ｓ３１Ｂ）。ビーコンＩＤ送信部３３は店舗用ビーコン１０Ｓからのビーコン識別番号を、携帯端末識別番号とともにサーバ装置２０に送信する（Ｓ３３Ｂ）。サーバ装置２０の割引情報管理部２２は、受信したビーコン識別番号が店舗用ビーコン１０Ｓのビーコン識別番号である場合に、ともに受信した携帯端末識別番号に対応する仮想駐車券に所定の割引情報を追加する（Ｓ２２Ａ）。
【００２６】
なお商品の購入代金、あるいはサービスの対価として支払った代金の多寡に応じて、割引情報が変化する場合がある。例えば２０００円以上の支払いで１時間分の駐車料金を無料とし、５０００円以上の支払いで３時間分の駐車料金を無料とする場合がある。この場合、店舗用ビーコン１０Ｓからの信号を店員によって操作可能としてもよい。例えば店舗用ビーコン１０Ｓからビーコン識別番号に付帯させる情報として２種類以上の情報を送信可能にしておき、店員は購入金額に応じてビーコン識別番号に付帯させる情報の種類を選択可能なものとする。サーバ装置２０の割引情報管理部２２は、受信したビーコン識別番号に付帯する情報に応じて割引情報を決定し、当該割引情報を仮想駐車券に追加することとしてもよい。もっと簡単には、店員は購入金額に応じて店舗用ビーコン１０Ｓから携帯端末３０に信号を送る回数を増減させてもよい。例えば、店員は利用者６０の支払代金が最小単位（例えば１時間）の割引に該当する場合には、利用者６０に対して携帯端末３０を店舗用ビーコン１０Ｓに１回だけ近接するように促す。利用者６０の支払代金が最小単位（例えば１時間）のＮ回分の割引に該当する場合には、利用者６０に対して携帯端末３０を店舗用ビーコン１０ＳにＮ回近接するように促す。この場合、サーバ装置２０の割引情報管理部２２は、受信したビーコン識別番号が店舗用ビーコンのビーコン識別番号である場合にその受信回数に応じて割引情報を決定し、対応する仮想駐車券に所定の割引情報を追加してもよい。図４Ｂに割引情報を追加した仮想駐車券の例を示す。なお、駐車場に提携店舗がない場合には店舗用ビーコン１０Ｓ、サーバ装置２０の割引情報管理部２２は省略することができる。この場合、ステップＳ３１Ｂ、Ｓ３３Ｂ、Ｓ２２Ａは省略される。
【００２７】
次に本実施例の駐車場電子決済システム１の電子決済処理について説明する。ここでは利用者６０の自動車８０が駐車場の車両出口から駐車場外に出場しようとしているものとする。入場時と同様に自動車８０内には利用者６０の携帯端末３０が存在するものとする。自動車８０が駐車場の車両出口近傍に近づいたとき、出場用車番読取カメラ４０−２は自動車８０の車両番号を読み取る。出場用車番読取カメラ４０−２は、読み取った車両番号をサーバ装置２０に送信する（Ｓ４０−２Ａ）。サーバ装置２０の仮想駐車券発行部２１は、出場用車番読取カメラ４０−２から車両番号を受信する（Ｓ２１Ｅ）。
【００２８】
自動車８０が駐車場外に出場する直前において、携帯端末３０は車両出口に設置された出場ビーコンのうち、奥側に設置された出場ビーコン１０Ｐ−３に近接する。この場合、携帯端末３０は出場ビーコン１０Ｐ−３からの信号を受信できるものとする。自動車８０が駐車場外に出場した直後には、携帯端末３０は車両出口に設置された出場ビーコンのうち、手前側に設置された出場ビーコン１０Ｐ−４に近接する。この場合、携帯端末３０は出場ビーコン１０Ｐ−４からの信号を受信できるものとする。出場ビーコン１０Ｐ−３、１０Ｐ−４からの信号にはビーコンを識別するためのビーコン識別番号が含まれているものとする。
【００２９】
従って携帯端末３０のビーコン信号受信部３１は、出場ビーコン１０Ｐ−３からビーコン識別番号を受信し、その後出場ビーコン１０Ｐ−４からビーコン識別番号を受信する（Ｓ３１Ｃ）。場内判定部３２は、出場ビーコン１０Ｐ−３、１０Ｐ−４のビーコン識別番号を所定の順序で受信した場合に、車両が駐車場外に出場したと判定する（Ｓ３２Ｂ）。場内判定部３２は入場時と同様に、車両（自動車８０、携帯端末３０）の進行方向を判断し、この判断に応じて、車両が駐車場外に出場したか否かを判定する。
【００３０】
携帯端末３０のビーコンＩＤ送信部３３は、出場ビーコン１０Ｐ−３、１０Ｐ−４からのビーコン識別番号を、携帯端末識別番号とともにサーバ装置２０に送信する（Ｓ３３Ｃ）。サーバ装置２０の仮想駐車券発行部２１は、出場ビーコンのビーコン識別番号と、携帯端末識別番号とを受信する（Ｓ２１Ｆ）。
【００３１】
サーバ装置２０の仮想駐車券発行部２１は、出場用車番読取カメラ４０−２から車両番号を受信した場合に、受信した車両番号に対応する仮想駐車券に基づいて、仮想請求書を発行して対応する携帯端末３０に送信する（Ｓ２１Ｇ）。なお、仮想駐車券に割引情報が追加されている場合には、仮想駐車券発行部２１は当該割引情報を適用した駐車時間および駐車料金に基づいて仮想請求書を発行するものとする。携帯端末３０の電子マネー決済部３５は、サーバ装置２０から仮想請求書を受信する（Ｓ３５Ａ）。電子マネー決済部３５は、仮想請求書を受信した場合に当該仮想請求書に基づいて電子決済を実行する（Ｓ３５Ｂ）。電子決済の方法は、従来の方法を用いることができる。例えば電子マネー決済部３５は携帯端末３０に紐づけられたクレジットカードを使用して電子決済を実行してもよいし、携帯端末３０にチャージされたバリューを用いて電子決済を実行してもよい。
【００３２】
電子マネー決済部３５は、サーバ装置２０に携帯端末識別番号とともに決済済み情報を送信する（Ｓ３５Ｃ）。サーバ装置２０の仮想駐車券発行部２１０は携帯端末識別番号とともに決済済み情報を受信する（Ｓ２１Ｈ）。決済済み情報を受信した場合、仮想駐車券発行部２１は出場処理を実行する（Ｓ２１Ｉ）。
【００３３】
本実施例の駐車場電子決済システム１は、安価なビーコンを数台、既存の駐車場や店舗に設置し、サーバ装置２０および携帯端末３０に本システムの動作に必要なアプリケーションを導入するだけで実現可能である。従って、本実施例の駐車場電子決済システム１によれば、安価かつ簡易に駐車券をペーパーレスにすることができ、駐車場利用料金の支払いを電子決済により行うことができる。
【００３４】
＜変形例１＞
以下、実施例１の変形例にかかる駐車場電子決済システムについて説明する。実施例１では入場用車番読取カメラ４０−１、出場用車番読取カメラ４０−２を利用したが、これらのカメラを省いてシステムを構成することも可能である。本変形例の駐車場電子決済システムは、実施例１に含まれる入場用車番読取カメラ４０−１、出場用車番読取カメラ４０−２のみを省略し、他の構成をそのままとしたシステムである。この場合、サーバ装置の動作が実施例１とは若干異なる。
【００３５】
具体的には、サーバ装置は、仮想駐車券を発行する際に、仮想駐車券に車両番号の情報を含むことができない。本変形例では、サーバ装置は時刻情報、ビーコンＩＤ（ビーコン識別番号）、携帯ＩＤ（携帯端末識別番号）、駐車券ＩＤ（駐車券識別番号）などを含んで仮想駐車券を発行する。なお、本変形例において仮想駐車券に最低限含まれていなければならない情報は、時刻情報と、携帯端末識別番号のみである。
【００３６】
また本変形例において、サーバ装置は仮想請求書を発行する際に車両番号を参照できない。従って、本変形例のサーバ装置は出場ビーコンのビーコン識別番号ともに受信した携帯端末識別番号を利用する。具体的には、本変形例のサーバ装置は出場ビーコンのビーコン識別番号とともに受信した携帯端末識別番号に対応する仮想駐車券に基づいて、仮想請求書を発行し、対応する携帯端末に送信する。
【００３７】
本変形例の駐車場電子決済システムは実施例１と同様の効果を奏する。また、本変形例の駐車場電子決済システムは、車番読取システムを利用していない駐車場に対しても導入可能である。
【実施例２】
【００３８】
以下、図５を参照して実施例２の駐車場電子決済システムの概要を説明する。図５は、本実施例の駐車場電子決済システム２の概略を示す図である。本実施例は、携帯端末の電子決済が事前精算機を通じて実行される場合のシステムの構成例である。また、本実施例においては実施例１における必須でない構成要素を適宜省略した。
【００３９】
図５に示すように、本実施例の駐車場電子決済システム２は、駐車場の車両入口に設置された１台の入場ビーコン１０Ｐ−１と、駐車場の車両出口に設置された１台の出場ビーコン１０Ｐ−３と、サーバ装置２００と、携帯端末３００と、事前精算機５０を含む構成である。入場ビーコン１０Ｐ−１、出場ビーコン１０Ｐ−３は実施例１と同様である。携帯端末３００、事前精算機５０は、ネットワーク９０を介してサーバ装置２００と通信可能に接続されている。例えばネットワーク９０は、移動体通信網、無線ＬＡＮなどでよい。事前精算機５０は携帯端末３００と何らかの通信手段で無線通信が可能であるものとする。典型的には事前精算機５０は、携帯端末３００とＮＦＣ通信が可能であればよい。また、事前精算機５０は携帯端末３００とブルートゥース、赤外線による通信が可能であってもよい。
【００４０】
以下、図６を参照して本実施例の駐車場電子決済システム２の構成を説明する。図６は、本実施例の駐車場電子決済システム２の構成を示すブロック図である。図６に示すように、本実施例の携帯端末３００は、ビーコン信号受信部３１と、ビーコンＩＤ送信部３３と、仮想駐車券受信部３４と、電子マネー決済部３５０を含む。実施例１における場内判定部３２は本実施例において省略されている。実施例１における電子マネー決済部３５は本実施例において電子マネー決済部３５０に変更されている。また本実施例のサーバ装置２００は、仮想駐車券発行部２１０と、駐車券情報記憶部２３を含む構成である。実施例１における割引情報管理部２２は本実施例において省略されている。実施例１における仮想駐車券発行部２１は本実施例において仮想駐車券発行部２１０に変更されている。
【００４１】
以下、図７、図８を参照して本実施例の駐車場電子決済システム２の動作を説明する。図７、図８は、本実施例の駐車場電子決済システム２の動作を示すシーケンス図である。図７に示すように、入場ビーコンからの信号受信（Ｓ３１Ａ）から仮想駐車券の記憶（Ｓ２１Ｄ）までの動作は実施例１と同様に実行される。ただし、本実施例では場内判定部３２、入場用車番読取カメラ４０−１を割愛したため、ステップＳ４０−１Ａ、Ｓ２１Ａ、Ｓ３２Ａは省略される。図４Ｃに本実施例のステップＳ２１Ｄにおいて記憶される仮想駐車券の例を示す。なお、本実施例において仮想駐車券に最低限含まれていなければならない情報は、時刻情報と、携帯端末識別番号のみである。
【００４２】
前述したように本実施例では利用者６０は事前精算機５０を通じて電子決済を実行する。具体的には、利用者６０は駐車場利用料金の精算を済ませたい場合に、携帯端末３００を事前精算機５０に近づける。事前精算機５０は携帯端末３００から仮想駐車券を含む情報を受信する（Ｓ５０Ａ）。事前精算機５０は、携帯端末３００から仮想駐車券を受信した場合にサーバ装置２００に仮想駐車券に含まれる携帯端末識別番号とともに請求書要求を送信する（Ｓ５０Ｂ）。サーバ装置２００の仮想駐車券発行部２１０は事前精算機５０から請求書要求を受信する（Ｓ２１０Ａ）。サーバ装置２００の仮想駐車券発行部２１０は、事前精算機５０から、携帯端末識別番号とともに請求書要求を受信した場合に、受信した携帯端末識別番号に対応する仮想駐車券に基づいて、仮想請求書を発行して事前精算機５０に送信する（Ｓ２１０Ｂ）。事前精算機５０はサーバ装置２００から仮想請求書を受信する（Ｓ５０Ｃ）。
【００４３】
事前精算機５０は、サーバ装置２００から仮想請求書を受信した場合に、対応する携帯端末３００に仮想請求書を送信する（Ｓ５０Ｄ）。携帯端末３００の電子マネー決済部３５０は、事前精算機５０から仮想請求書を受信する（Ｓ３５Ａ）。電子マネー決済部３５は、仮想請求書を受信した場合に当該仮想請求書に基づいて電子決済を実行する（Ｓ３５Ｂ）。電子マネー決済部３５は、事前精算機５０に対して携帯端末識別番号とともに決済完了通知を送信する。事前精算機５０は、携帯端末３００から携帯端末識別番号とともに決済完了通知を受信する（Ｓ５０Ｅ）。事前精算機５０は、サーバ装置２００の仮想駐車券発行部２１０に、携帯端末識別番号とともに決済済み情報を送信する（Ｓ５０Ｆ）。サーバ装置２００の仮想駐車券発行部２１０は携帯端末識別番号とともに決済済み情報を受信する（Ｓ２１０Ｃ）。仮想駐車券発行部２１０は受信した決済済み情報を携帯端末識別番号とともに駐車券情報記憶部２３に記憶する（Ｓ２１０Ｄ）。
【００４４】
なお、事前精算機５０において現金で精算することを可能としてもよい。この場合ステップＳ５０Ｄ、Ｓ３５Ａ、Ｓ３５Ｂ、Ｓ５０Ｅは割愛される。具体的には、事前精算機５０は、サーバ装置２００から仮想請求書を受信した場合に、自機の表示部に仮想請求書が示す請求金額を表示する。利用者６０は、事前精算機５０の表示部に示された請求金額に従って、事前精算機５０に現金を投入する。事前精算機５０は、現金による精算が終了した場合に、サーバ装置２００の仮想駐車券発行部２１０に、携帯端末識別番号とともに決済済み情報を送信する（Ｓ５０Ｆ）。サーバ装置２００の仮想駐車券発行部２１０は携帯端末識別番号とともに決済済み情報を受信する（Ｓ２１０Ｃ）。仮想駐車券発行部２１０は受信した決済済み情報を携帯端末識別番号とともに駐車券情報記憶部２３に記憶する（Ｓ２１０Ｄ）。 
【００４５】
自動車８０（携帯端末３００）が出場ビーコン１０Ｐ−３に近接した場合、携帯端末３００のビーコン信号受信部３１は、出場ビーコン１０Ｐ−３からビーコン識別番号を受信する（Ｓ３１Ｃ）。携帯端末３００のビーコンＩＤ送信部３３は、出場ビーコン１０Ｐ−３からのビーコン識別番号を、携帯端末識別番号とともにサーバ装置２００に送信する（Ｓ３３Ｃ）。サーバ装置２００の仮想駐車券発行部２１０は、出場ビーコンのビーコン識別番号と、携帯端末識別番号とを受信する（Ｓ２１Ｆ）。仮想駐車券発行部２１０は、出場ビーコンのビーコン識別番号と携帯端末識別番号とを受信した場合に、駐車券情報記憶部２３から対応する決済済み情報を取得する（Ｓ２１０Ｅ）。決済済み情報が取得された場合、仮想駐車券発行部２１０は出場処理を実行する（Ｓ２１Ｉ）。
【００４６】
本実施例の事前精算機５０はビーコンに置き換えることも可能である。この場合、携帯端末は、事前精算用のビーコンとして指定されたビーコン（精算用ビーコンという）のビーコン識別番号を受信した場合に、事前精算機５０に代わって精算に必要な処理を実行する。具体的には、携帯端末は、精算用ビーコンのビーコン識別番号を受信した場合に、サーバ装置に携帯端末識別番号とともに請求書要求を送信する。サーバ装置の仮想駐車券発行部は携帯端末から請求書要求を受信する。サーバ装置の仮想駐車券発行部は、携帯端末識別番号とともに請求書要求を受信した場合に、受信した携帯端末識別番号に対応する仮想駐車券に基づいて、仮想請求書を発行して携帯端末に送信する。携帯端末はサーバ装置から仮想請求書を受信する。 
【００４７】
このように本実施例の駐車場電子決済システム２によれば、実施例１と同様の効果を奏する。
【００４８】
本発明の駐車場電子決済システムは、例えば出入口が共通する駐車場に対しても適用可能であるし、出入口が別々に離れた場所に存在する駐車場に対しても適用可能である。また、出入口がそれぞれ複数ある駐車場に対しても適用可能である。 
【００４９】
上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
【００５０】
また、上述の構成をコンピュータによって実現する場合、各装置が有すべき機能の処理内容はプログラムによって記述される。そして、このプログラムをコンピュータで実行することにより、上記処理機能がコンピュータ上で実現される。
【００５１】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００５２】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００５３】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００５４】
また、この形態では、コンピュータ上で所定のプログラムを実行させることにより、本装置を構成することとしたが、これらの処理内容の少なくとも一部をハードウェア的に実現することとしてもよい。
【図１】
0006383249.tif 000002
【図２】
0006383249.tif 000003
【図３】
0006383249.tif 000004
【図４】
0006383249.tif 000005
【図５】
0006383249.tif 000006
【図６】
0006383249.tif 000007
【図７】
0006383249.tif 000008
【図８】
0006383249.tif 000009